(57)【要約】    【課題】  ネットワークに接続されている情報処理装置により生成されたデータを可及的に所望のタイミングで受信して印刷出力し得る画像処理装置、及び印刷方法を提供する。    【解決手段】  画像形成装置は、挿着されたＩＤカードに記録されているユーザＩＤと、画像形成装置内のローカルディスクに格納されている文書ファイルのユーザ識別子が合致するか否かを判別する。そして、合致する場合は、画像形成装置は、当該ユーザ識別子に対応する文書ファイルが当該画像形成装置内に存在するか否かを判別する。対応する文書ファイルが画像形成装置内に存在しない場合は、画像形成装置は、その文書ファイルをＬＡＮを介してファイルサーバから取り込んでプリントアウトする。【選択図】      図１３
2006021542.tif 000002
【特許請求の範囲】
【請求項１】
情報処理装置により生成された所定のデータを特定することが可能な識別子であって、当該情報処理装置からの印刷要求に応じて出力された識別子を受信して管理する管理手段と、
前記管理手段により管理されている識別子を特定する特定手段と、
前記特定手段により特定された識別子に対応するデータを、ネットワークを介して受信する受信手段と、
前記受信手段により受信されたデータを印刷する印刷手段と、
を備えることを特徴とする画像処理装置。
【請求項２】
ユーザが操作を行うための操作手段をさらに備え、
前記特定手段は、前記操作手段により入力された識別子を特定する情報に基づいて識別子を特定することを特徴とする請求項１に記載の画像処理装置。
【請求項３】
前記印刷手段は、前記操作手段により入力されたデータに係る認証情報と、前記管理手段により管理されている識別子に対応するデータに係る認証情報が一致する場合に、該データを印刷することを特徴とする請求項２に記載の画像処理装置。
【請求項４】
前記受信手段は、前記特定手段により特定された識別子に対応するデータを、前記ネットワークを介して接続された記憶装置から受信することを特徴とする請求項１から３のいずれか１項に記載の画像処理装置。
【請求項５】
印刷対象のデータを記憶する記憶手段をさらに備え、
前記記憶手段において前記特定手段により特定された識別子に対応するデータを記憶している場合には、前記受信手段によりデータを受信することなく、該記憶手段から該データを読み出して前記印刷手段により印刷することを特徴とする請求項１から４のいずれか１項に記載の画像処理装置。
【請求項６】
情報処理装置により生成された所定のデータを特定することが可能な識別子であって、当該情報処理装置からの印刷要求に応じて出力された識別子を受信して管理する管理工程と、
前記管理工程により管理されている識別子を特定する特定工程と、
前記特定工程により特定された識別子に対応するデータを、ネットワークを介して受信する受信工程と、
前記受信工程により受信されたデータを印刷する印刷工程と、
を備えることを特徴とする印刷方法。
【請求項７】
ユーザが操作を行うための操作工程をさらに備え、
前記特定工程は、前記操作工程により入力された識別子を特定する情報に基づいて識別子を特定することを特徴とする請求項６に記載の印刷方法。
【請求項８】
前記印刷工程は、前記操作工程により入力されたデータに係る認証情報と、前記管理工程により管理されている識別子に対応するデータに係る認証情報が一致する場合に、該データを印刷することを特徴とする請求項７に記載の印刷方法。
【請求項９】
前記受信工程は、前記特定工程により特定された識別子に対応するデータを、前記ネットワークを介して接続された記憶装置から受信することを特徴とする請求項６から８のいずれか１項に記載の印刷方法。
【請求項１０】
データを記憶する記憶工程をさらに備え、
前記記憶工程において前記特定工程により特定された識別子に対応するデータを記憶している場合には、前記受信工程によりデータを受信することなく、該記憶工程により記憶された該データを読み出して前記印刷工程により印刷することを特徴とする請求項６から９のいずれか１項に記載の印刷方法。
【発明の詳細な説明】
【技術分野】
【０００１】
本発明は、ＬＡＮ等のネットワークに接続される画像処理装置、及び印刷方法に関する。
【背景技術】
【０００２】
近年、画像形成装置においては機能の複合化が進み、複写機能、プリンタ機能、ファクシミリ機能等が１台の装置で実現されており、その上、このような画像形成装置はネットワーク等に接続されてネットワーク上のパソコン、ワークステーション用のプリンタ、スキャナとして利用されるようになっている。
【０００３】
このようにネットワークに接続した場合は、ネットワークを介して送られてくる画像データ（厳密には画像データそのものではなく、文字コード等の視認可能に印刷されるべきデータの場合が多い）、電話回線を介して送られるファクシミリ画像データは、前記画像形成装置のファイルに一旦格納された後、複写動作の合間をぬって画像形成され排出される。
【発明の開示】
【発明が解決しようとする課題】
【０００４】
しかしながら、上述のような画像形成装置を中心としたシステムでは、次のような間題があった。すなわち、ネットワーク上の端末から画像形成装置に対して画像データを転送したとしても、当該画像形成装置で複写処理が行われている場合は、その複写処理が優先されるため、一連の複写処理が終了するまで転送に係る画像データを出力することができない。このため、画像形成装置に複写処理の待ち行列が発生している場合や、大量の原稿を複写している場合等は、転送に係る画像データが出力されるのに時間がかかるという間題があった。
【０００５】
更に、後処理装置の収納トレイに出力紙が放置されている状態で、画像データに付随した排紙後処理がなされると、適切な形で出力束を得ることができないという問題があった。
【０００６】
また、複合機能を有する画像形成装置の排紙トレイが単一である場合、その排紙トレイには各種の機能に係る出力紙が時を選ばず出力され、機能別の仕分け、シート束間の仕分けがなされないまま出力紙が放置されることがあった。
【０００７】
排紙トレイが単一でなく、プリント機能やＦＡＸ機能、コピー機能など画像形成装置の各機能に対応する排紙トレイが設けられていたとしても、ある機能の排紙トレイに着目してみれば、別々に出力されたシート束とシート束を仕切る手段はなく、画像形成装置からの出力紙は、ただ漫然と排紙トレイに積み重ねられているのみであり、どれが所望のシ一ト束であるか判別できなかった。
【０００８】
従って、所望のシート束を取り出す際は、全てのシート束を取り出してその中から所望の束を探し出し、残りの束は元の排紙トレイに戻すという作業を余儀なくされていた。このような状況下では、出力されたドキュメントの一部、または、全部が紛失してしまうという不測の事態が発生することもあった。
【０００９】
本発明は、このような背景の下になされたもので、その目的は、ネットワークに接続されている情報処理装置により生成されたデータを可及的に所望のタイミングで受信して印刷出力し得る画像処理装置、及び印刷方法を提供することにある。
【課題を解決するための手段】
【００１０】
上記目的を達成するため、本発明に係る画像処理装置は、情報処理装置により生成された所定のデータを特定することが可能な識別子であって、当該情報処理装置からの印刷要求に応じて出力された識別子を受信して管理する管理手段と、前記管理手段により管理されている識別子を特定する特定手段と、前記特定手段により特定された識別子に対応するデータを、ネットワークを介して受信する受信手段と、前記受信手段により受信されたデータを印刷する印刷手段とを備えることを特徴とする。
【発明の効果】
【００１１】
本発明によれば、管理手段により管理されている識別子を特定手段により特定すると、その特定された識別子に対応するデータが、受信手段によりネットワークを介して受信される。そして、受信されたデータは、印刷手段により印刷される。
【００１２】
従って、ネットワークに接続されている情報処理装置により生成されたデータを可及的に所望のタイミングで受信して印刷出力し得る画像処理装置、及び印刷方法を提供することが可能となる。これにより、従来のように、排紙トレイに積み重ねられた印刷に係るシート束の中から所望のシートを探し出す必要はなくなる。
【発明を実施するための最良の形態】
【００１３】
以下、本発明の実施の形態を図面を参照しながら詳細に説明する。
【００１４】
図１は、本発明の実施の形態に係る画像形成装置の概略構成を示すブロック図、図２は、上記画像形成装置の概略構成を示す縦断側面図である。図１、図２に示すように、本形態に係る画像形成装置は、画像入力装置（以下、リーダー部という）１、画像出力部（以下、プリンタ部という）２、外部装置３、循環式自動原稿給送装置４、シート後処理装置５を主要構成要素としており、リーダー部１とプリンタ部２とにより、本体部が構成されている。
【００１５】
［本体部（リーダー部１とプリンタ部２）の構成］
リーダー部１は、原稿に記録された情報を光学的に読取って光電変換して画像データとして入力するものであり、原稿載置台（プラテンガラス）１０１、ランプ１０２とミラー１０３とを有するスキャナユニット１０４、ミラー１０５，１０６、レンズ１０７、ＣＣＤ等の光電変換素子を有するイメージセンサ（以下、ＣＣＤという）１０８等を有している。
【００１６】
プリンタ部２は、リーダー部１等により入力された画像データを記録紙（以下、シートという）上に可視像として出力する画像形成手段であり、光制御部２０１、感光体２０２、現像器２０３、複数種類のシートカセット２０４，２０５、転写部２０６、定着部２０７、排紙部２０８、搬送方向切替部材２０９、再給紙用シート積載部２１０、および搬送ローラ２１１等を有している。
【００１７】
［本体部（リーダー部１とプリンタ部２）の動作］
次に、図２を参照しながらリーダー部１、プリンタ部２の動作を説明する。
【００１８】
まず、リーダー部１においては、循環式自動原稿給送装置４上に積載された原稿は、１枚ずつ順次プラテンガラス１０１上に搬送される。なお、循環式自動原稿給送装置４の構成・動作は後述する。原稿がプラテンガラス１０１の所定位置へ搬送されると、スキャナユニット１０４は、ランプ１０２を点灯させた状態で移動して原稿を照射する。原稿からの反射光は、ミラー１０３，１０５，１０６、およびレンズ１０７を介してＣＣＤ１０８に入力される。そして、ＣＣＤ１０８は、入力された原稿からの反射光を光電変換してデジタルの画像データとしてプリンタ部２に出力する。
【００１９】
プリンタ部２においは、露光制御部２０１の制御の下に、入力に係る画像データ（プリンタ部２、または外部装置３から入力された画像データ）に基づいて変調された光信号を感光体２０２に照射する。この照射光によって感光体２０２上に形成された潜像は、現像器２０３によって現像される。
【００２０】
この現像された像の先端とタイミングを合わせてシートカセット２０４，または２０５よりシートが搬送される。そして、搬送されたシートに対して、転写部２０６によって上記現像された像がシートに転写され、定着部２０７にて定着された後、シートは排紙部２０８により本体部の外部に排出される。そして、排紙部２０８により外部に排出されたシートは、シート後処理装置５（シート後処理装置５の構成・動作は後述する）により、予め指定された動作モードに応じて、仕分け、綴じ等が行われる。
【００２１】
上記のシート搬送動作は、順次読込んだ画像をシートの片面に記録する場合であるが、シートの両面に記録する場合には、次のようなシート搬送動作を行う。
【００２２】
すなわち、両面に記録する場合は、定着部２０７で定着処理がなされたシートを、一度、排紙部２０８まで搬送した後、シートの搬送方向を逆にして搬送方向切替部材２０９を介して再給紙用シート積載部２１０に搬送する。そして、次の原稿が準備されると、上記プロセスと同様にして原稿画像が読取られるが、シートについては再給紙用シート積載部２１０より再給紙されるので、結局、同一のシートの表面、裏面に２枚の原稿画像を記録することができる。
【００２３】
［外部装置３の構成］
外部装置３は、リーダー部１とケーブルを介して電気的に接続されており、各種の機能を有している。すなわち、外部装置３は、ファクシミリ送受信を行うファクシミリ部３０１、該ファクシミリ部３０１と接続されているハードディスク３０２、各種の原稿情報を電気信号に変換して光磁気ディスク等の外部記憶装置３０３に保存するファイル部３０４、ＬＡＮ６等のネットワークを介してコンピュータと接続するためのネットワークインターフェイス部３０５、コンピユータからの文字等のコード情報を可視像とするためにイメージ情報に変換して展開するフォーマッタ部３０６、リーダー部１からの情報を蓄積したり、コンピュータから送られてきた情報を一時的に蓄積するためのイメージメモリ部３０７、及び上記各機能を制御するコア部３０８等を備えている。なお、外部装置３の動作（特に外部装置３内のコア部３０８）の動作については後述する。
【００２４】
［循環式自動原稿給送装置４の構成］
循環式自動原稿給送装置４は、図３に示したように、原稿束を積載する原稿積載トレイ４０１を有し、この原稿積載トレイ４０１には、原稿給送機構が装備されている。この原稿給送機構は、半月ローラ４０２と、分離搬送ローラ４０３と、分離モータ（不図示）と、レジストローラ４０４と、全面ベルト４０５と、ベルトモータ（不図示）と、搬送大ローラ４０６と、搬送モータ（不図示）と、排紙ローラ４０７と、フラッパ４０８と、リサイクルレバー４０９と、給紙センサー、反転センサー，排紙センサー（不図示）等から構成されている。
【００２５】
［循環式自動原稿給送装置４の動作］
前記半月ローラ４０２と分離搬送ローラ４０３は、前記分離モータにより回転されて、原稿積載トレイ４０１上の原稿束の最下部から原稿を１枚ずつ分離して給送する。また、レジストローラ４０４と全面ベルト４０５は、ベルトモータにより回転されて、１枚ずつ分離された原稿をシートパスａ、ｂを介してプラテンガラス１０１上の露光位置（シートパスｃ）まで搬送する。また、搬送大ローラ４０６は、搬送モータにより回転されてプラテンガラス１０１上の原稿をシートパスｃからシートパスｅに搬送する。このシートパスｅに搬送された原稿は、排紙ローラ４０７により原稿積載トレイ４０１の原稿束の最上部に戻される。
【００２６】
なお、リサイクルレバー４０９は、原稿の一循環を検知するものであり、原稿給送開始時にリサイクルレバー４０９を原稿束の上部に載せ、原稿が順次給送され、最終原稿の後端がリサイクルレバー４０９を抜ける時に自重で落下することにより、原稿の一循環を検知する。
【００２７】
両面に情報が記録された両面原稿を給送する場合は、上記原稿給送機構は、両面原稿を一旦シートパスａ、ｂからｃに導いて片面を読取り、次いで、搬送大ローラ４０６を回転させてフラッパ４０８を切換えることにより両面原稿の先端をシートパスｄに導いて反転させ、次いで、レジストローラ４０４により両面原稿をシートパスｂを通し、この後、全面ベルト４０５によりプラテンガラス１０１上に搬送して他面を読取る。
【００２８】
なお、原稿積載トレイ４０１に積載された原稿束の原稿を１枚ずつシートパスａ，ｂ，ｃ，ｄ，ｅを通して、リサイクルレバー４０９により一循環したことが検知されるまで搬送することによって、原稿積載トレイ４０１に積載された原稿の枚数をカウントすることができる。
【００２９】
［シート後処理装置５の構成・動作］
図４，図５に示したように、シート後処理装置５は、機体５０１、ビンユニット（排出手段）５０２、およびステイプラ（綴じ手段）５１０を有しており、機体５０１は、搬入口５０３の近傍に搬入ローラ対５０４を備えている。搬入ローラ対５０４の下流には、搬送パス５０５，或いは５０６へシート搬送方向を切換えるフラッパ５０７が配設されている。
【００３０】
そして、一方の搬送パス５０５はほぼ水乎方向に延びて、その下流に搬送ローラ対５０８が配設されており、また他方の搬送パス５０６は下方向に延びて、その下流に搬送ローラ対５０９が配設されており、この搬送ローラ対５０９の近傍にステイプラ５１０が配設されている。
【００３１】
搬入ローラ対５０４と搬送ローラ対５０８，５０９は、搬送モータ（不図示）により駆動されている。上記搬送パス５０５には、シートの通過を検出するノンソートパスセンサ５１１が、そして搬送パス５０６には、ソートパスセンサ５１２が配設されている。
【００３２】
ビンユニット５０２は、多数のビンＢを備えており、搬送ローラ対５０８，５０９の下流側に配置されている。このビンユニット５０２のフックに一端を係合し、他端を機体５０１に固定したばねで重量を保持することにより、ビンユニット５０２は昇降自在に支持されている。
【００３３】
ビンユニット５０２の基端側の上下部には、ガイドローラ５１３，５１４が回動自在に支持されており、このガイドローラ５１３，５１４は、機体５０１に上下方向に延びるように設けられた案内溝５１５内を転動して前記ビンユニット５０２の昇降を案内するように構成されている。
【００３４】
また、機体５０１には、シフトモータ５１６が配設されている。機体５０１に枢支された回転軸５１７には、リードカム５１８が固定されている。また、前記シフトモータ５１６の出力軸には、チェーン５１９が張設されており、これによってシフトモータ５１６の回転は、チェーン５１９を介して回転軸５１７へ伝達されるようになっている。
【００３５】
さらに、ビンユニット５０２は、傾斜部及び垂直部からなる底部フレーム５２０と、この底部フレーム５２０の先端手前側と奥側とに垂直に設けられた対をなすフレーム５２１、このフレーム５２１によって支持されたカバー５２２により構成されるユニット本体５２３を有している。
【００３６】
このユニット本体５２３の手前側には、シートに当接して整合することが可能な基準板が設けられている。底部フレーム５２０の基端奥側には、第１整合モータ（不図示）により回動する第１下アームが回動自在に支持されている。さらに、カバー５２２の前記第１下アームと対向する位置に第１上アームが、前記第１下アームの支持軸と同軸を介して回動自在に支持されている。前記第１上アームの先端と前記第１下アームの先端には、第１整合棒５２４が架設されている。この第１整合棒５２４は第１整合モータにより回動するように構成されており、ビンＢ上のシートＳを手前側に整合するようになっている。
【００３７】
また同様に、上記底部フレーム５２０の基端手前側に、第２整合モータ（不図示）により回動する第２下アームが回動自在に支持されている。カバー５２２の前記第２下アームと対向する位置に第２上ア一ムが、前記第２下アームの支持軸と同軸を介して回動自在に支持されている。前記第２下アームの先端と前記第２上アームの先端には、第２整合棒５２５が架設されており、この第２整合棒５２５は第２整合モータ（不図示）により回動するように構成されており、ビンＢ上のシートＳを奥側に整合するようになっている。
【００３８】
第１および第２整合モータは、ステッピングモータにより構成され、第１および第２整合棒５２４、５２５の位置は、整合棒ホームセンサにより検知可能となっている。従って、第１および第２整合棒５２４、５２５の位置は、整合棒ホームセンサにて位置を確認しながらステッピングモータに与えるパルス数を適性に制御することにより、正確に制御することができる。
【００３９】
前記ビンＢは、先端手前及び奥にそれぞれ係合板が形成されており、この係合板がフレーム５２１の内側に設けられた支持板と係合することにより、ビンＢは先端側を支持されるようになっている。さらに、ビンＢには、前記第１上，下アームの支持軸から所定距離だけ離れた位置に、第１整合棒５２４の回転距離より長く、かつ第１整合棒５２４の幅よりも十分幅広な長孔５２６と、前記第２上，下アームの支持軸から所定距離だけ離れた位置に、第２整合棒５２５の回転距離より長く、かつ第２整合捧５２５の幅よりも十分幅広な長孔５２７が開設されている。
【００４０】
ビンＢの基端部Ｂａは、シート収納面Ｂｂに対して垂直に立ち上がっている。ビンＢは、機体５０１に対して先端が上方向に所定角度傾斜しており、この傾斜によりシートは、シート収納面Ｂｂを滑って後端を基端部Ｂａに当接して前後方向を整合されるようになっている。
【００４１】
また、ビンＢには、ステイプラ５１０の進入する部分に切欠きが設けられており、ステイプラ５１０と干渉しないようになっている。そして、ビンＢ１，Ｂ２，…Ｂｎの長孔５２６には、第１整合棒５２４が嵌挿されており、この第１整合捧５２４は、長孔５２６内を回動して、ビンＢ上のシートを手前側に整合するよう精成されている。同様に、ビンＢ１，Ｂ２，…Ｂｎの長孔５２７には前記整合棒５２５が嵌挿されており、この整合棒５２５は長孔５２７内を回動して、ビンＢ上のシートを奥側に整合するよう構成されている。
【００４２】
また、前記リードカム５１８は、ビンＢの一部分と係合しており、リードカム５１８の回転により、ビンユニット５０２は案内溝５１５に沿って昇降するように構成されている。なお、リードカム５１８の１回転は、ビンホームポジションセンサ５２９の近傍に配設されたリードカムセンサ５２８によって検出される。また、ビンユニット５０２の位置は、ビンホームポジションセンサ５２９によって検出される。ビンＢ上のシートの存在は、ソートトレイ紙有無検知センサ５３０によって検出できる。
【００４３】
搬送ローラ対５０９の近傍には、ビンＢに収納したシートを綴じ止め（ステイプル）処理する電動ステイプラ５１０が、シートの搬入方向に直交する位置に駆動手段により進退可能に配設されており、この電動ステイプラ５１０は、通常、ビンＢの上下動の際に干渉しないように、第１位置“イ”に退避しており、ビンＢ上のシートの束を綴じ止めする際には、前記駆動手段により第２位置“ロ”に位置付けされてシートの束を綴じ止め処理する。綴じ止め処理終了後、この電動ステイプラ５１０は、前記駆動手段により第１位置イに復帰移動される。
【００４４】
また、電動ステイプラ５１０は、図示しないモータの回転によりステイプル動作を行い、複数のビンＢ１，Ｂ２，…Ｂｎのシートを綴じ止めするときに、１つのビンＢのシートのステイプル動作終了後に、ビンユニット５０２が所定の位置に移動して、他のビンＢに収納したシートを綴じ止めするようになっている。また、前記駆動手段は、図４に示された矢印“Ｒ”方向、図５に示された矢印“Ｙ”方向に電動ステイプラ５１０を回転、移動（スライド）させることができる。
【００４５】
ただし、シートが反転して排出された場合は、電動ステイプラ５１０は、前記駆動手段により上下反転され、また、後述する画像回転回路１４５で出力画像が回転された場合は、図示しないステイプラ位置検出手段の検出結果に応じて、前記駆動手段により、図５に示された矢印“Ｙ”方向にスライドされた後、上記同様にステイプル動作を行う。
【００４６】
なお、図５において、５３１はマニュアルステイプルキーであって、ソート終了後にマニュアルステイプルキー５３１が押下された場合は、ステイプル動作を行なう。また、第１整合棒５２４の回動動作により、ビンＢ上のシート束の位置を手前に押し出すことが可能なようになっている。
【００４７】
［操作部、表示部の構成］
図６は、本体（リーダ部１とプリンタ部２）に設けた操作・表示パネルの配置構成を示す平面図である。
【００４８】
図６に示すように、この操作・表示パネル６００の操作面には、後述する各種のキーと、液晶表示器等からなる表示部６０１とが設けられている。表示部６０１は、本装置の状態、コピー枚数、倍率、シート選択および各種の操作に関する情報を表示するものである。この表示部６０１としては、タッチパネル方式が採用され、各キーを押下することにより各種のモードを表示、選択可能となっている。
【００４９】
６０２は複写開始キー（コピースタートキー）であり、複写を開始するときに押下する。６０３はクリア／ストップキーであり、待機（スタンバイ）中に押下するとクリアキーとして機能し、複写記録中に押下するとストップキーとして機能する。このクリア／スットプキー６０３は、設定した複写枚数を解除する場合にも利用される。６０４はテンキーであり、複写枚数を設定する場合等に利用される。６０５は複写濃度キーであり、複写濃度を手動で調節するときに押下する。６０６はＡＥキーであり、原稿の濃度に応じて複写濃度を自動的に調節するときに、またはＡＥ（自動濃度調節）を解除して濃度調節をマニュアル（手動）に切換えるときに押下する。６０７はカセット選択キーであり、図２に示す複数種類のシートカセット２０４，２０５等を選択するときに押下する。また、原稿搬送装置４に原稿が積載されている場合には、カセット選択キー６０７によりＡＰＳ（自動用紙選択）を選択できる。ＡＰＳが選択されたときには、原稿と同じ大きさの転写紙を収納したカセットが自動的に選択される。
【００５０】
６０８は等倍キーであり、等倍（原寸）の複写をとるときに押下する。６０９はズームキーであり、６４〜１４２％の間で任意の倍率を指定することができる。６１０および６１１は定形変倍キーであり、定形サイズの縮小・拡大を指定するときに押下する。また、６１２はシート後処理装置５の各種動作モードを選択するソータキーであり、排紙方法（ステイプル、ソート、グループ）の選択、記録後の用紙をステイプルで綴じることのできる電動ステイプラ５１０が接続されている場合は、ステイプルモード／ソートモードの選択、記録済用紙の折り（断面Ｚ形／断面Ｖ形）の選択および解除等ができる。
【００５１】
さらに、６１３、６１４および６１５は、各種の処理を設定するキーであり、例えば、両面モード、綴じ代設定、写真モード、多重処理、ページ連写、２ｉｎ１モード等を設定できる。また、６２０はＩＤ入力キーであり、ＩＤ入力キー６２０を押下することで操作部はＩＤ入力待ちモードになる。ＩＤ入力待ち状態でテンキー６０４からＩＤコードを入力し、入力終了後ＩＤ入力キー６２０を再び押下することで、入力に係るＩＤコードを確定する。
【００５２】
［ネットワークの説明］
図７は、本形態におけるネットワークの構成を示す図である。画像形成装置は、原稿の画像を読取るためのリーダー部１、入力された画像データを出力するためのプリンタ部２、原稿を自動給紙してリーダー部１に読込ませるためのフィーダ（循環式自動原稿給送装置）４、プリンタ部２から排紙された用紙を複数あるビンの内の１つに格納するためのソータ（シート後処理装置）５から構成され、この画像形成装置は、ネットワーク制御機能を持つ外部装置３を介してＬＡＮ６、電話回線１０に接続されている。
【００５３】
ＬＡＮ６は、任意の機器間でデータ交換を可能にするネットワークであり、画像形成装置の他にワークステーション７、パソコン８、ファイルサーバ９等が接続れている。なお、ワークステーション７、パソコン８は、ドキュメントの作成、修正、表示を行うものであり、ファイルサーバ９は、ＬＡＮ６を経由して、外部装置３、ワークステーション７、パソコン８などからアクセス可能な大容量の記憶装置である。電話回線１０は、ＦＡＸのデーク送受信に使われると共に、リーダー部１、プリンタ部２、またはＬＡＮ６に接続された任意の機器が、遠隔地のネットワークにアクセスする場合にも利用される。
【００５４】
［コア部３０８の構成・動作］
図８は、図１および図２における外部装置３のコア部３０８の詳細構成を示すブロック図であり、コア部３０８のコネクタ１３１は、リーダ部１のコネクタとケーブルで接続される。コネクタ１３１には、４種類の信号ラインが内蔵されており、その第１の信号ライン１８７の信号は、８ビット多値のビデオ信号である。第２の信号ライン１８５の信号は、ビデオ信号を制御する制御信号、第３の信号ライン１８１の信号は、リーダー部１内のＣＰＵと通信を行う。第４の信号ライン１８２の信号は、リーダー部１内のＳＵＢ・ＣＰＵと通信を行う信号である。
【００５５】
信号ライン１８１，１８２の信号は、通信用ＩＣ１３２により通信プロトコル処理され後、ＣＰＵバス１８３を介してＣＰＵ１３３に通信情報を伝達する。信号ライン１８７は、双方向のビデオ信号ラインであり、リーダー部１からの情報をコア部３０８で受取ることや、コア部３０８からの情報をリーダー部１に出力することが可能である。信号ライン１８７は、バッファ１４０に接続され、ここで双方向信号から片方向の信号ライン１８８と信号ライン１７０に分離される。信号ライン１８８の信号は、リーダー部１からの８ビット多値のビデオ信号であり、次段のＬＵＴ１４１に入力される。
【００５６】
前記ＬＵＴ１４１は、リーダー部１からの画像情報をルックアップテープルにより所望する値に変換する。ＬＵＴ１４１からの出力信号１８９は２値化回路１４２および、セレクタ１４３に入力される。２値化回路１４２は、信号ライン１８９に出力された多値の信号を固定のスライスレベルで２値化する単純２値化機能、スライスレベルが注目画素の周囲の画素の値によって変動する変動スライスレベルによる２値化機能、および誤差拡散法による２値化機能を有している。
【００５７】
２値化された情報は、“０”の時“００Ｈ”、“１”のとき“ＦＦＨ”の多値信号に変換され、次段のセレクタ１４３に入力される。セレクタ１４３は、ＬＵＴ１４１からの信号、または２値化回路１４２の出力信号のいずれかを選択する。セレクタ１４３からの出力信号１９０は、セレクタ１４４に入力される。セレクタ１４４は、ファクシミリ部３０１、ファイル部３０４、コンピユータインターフェイス部３０５、フォーマッタ部３０６、イメージメモリ部３０７からの出力ビデオ信号を、それぞれコネクタ１３５，１３６，１３７，１３８，１３９を介してコア部３０８に入力した信号１９４と、セレクク１４３の出力信号１９０とをＣＰＵ１３３の指示により選択する。
【００５８】
セレクタ１４４の出力信号１９１は、回転回路１４５、またはセレクタ１４６に入力される。回転回路１４５は、画像信号を＋９０度、−９０度、＋１８０度に回転する機能を有している。すなわち、リーダー部１から出力され、２値化回路１４２にて２値信号に変換された画像信号を記憶し、ＣＰＵ１３３からの指示により、記憶した画像信号を回転して読出す。
【００５９】
セレクタ１４６は、回転回路１４５の出力信号１９２、回転回路１４５の入力信号１９１のどちらかを選択し、信号ライン１９３を介して、ファクシミリ部３０１とのコネクタ１３５、ファイル部３０４とのコネクタ１３６、コンピユータインターフェイス部３０５とのコネクク１３７、フォーマッタ部３０６とのコネクク１２８、イメージメモリ部３０７とのコネクク１３９、およびセレクタ１４７に出力する。この信号ライン１９３は、コア部３０８からファクシミリ部３０１、ファイル部３０４、コンピュータインターフェイス部３０５、フォーマッタ部３０６、イメージメモリ部３０７へ画像情報の転送を行う同期式８ビットの片方向ビデオバスである。
【００６０】
信号ライン１９４は、ファクシミリ部３０１、ファイル部３０４、コンピュータインターフェイス部３０５、フォーマッタ部３０６、イメージメモリ部３０７から画像情報の転送を行う同期式８ビットの片方向ビデオバスである。上記の信号ライン１９３，１９４（同期式ビデオバス）の制御を行っているのがビデオ制御回路１３４であり、ビデオ制御回路１３４からの信号ライン１８６を介してバス制御を行う。
【００６１】
コネクタ１３５〜１３９には、信号ライン１８６の他に信号ライン１８４がそれぞれ接続される。信号ライン１８４は、双方向の１６ビットＣＰＵバスであり、非同期式によるデータ・コマンドの授受を行う。ファクシミリ部３０１、ファイル部３０４、コンピユータインターフェイス部３０５、フォーマッタ部３０６、またはイメージメモリ部３０７と、コア部３０８との間の情報の転送は、上記の２つのビデオバス１９３，１９４とＣＰＵバス１８４とで十分可能である。
【００６２】
ファクシミリ部３０１、ファイル部３０４、コンピュータインターフェイス部３０５、フォーマッタ部３０６、イメージメモリ部３０７から信号ライン１９４に出力された信号は、セレクタ１４４とセレクタ１４７に入力される。セレクタ１４４は、信号ライン１９４から入力された信号を、ＣＰＵ１３３の指示により選択して次段の回転回路１４５に入力する。また、セレクタ１４７は、信号ライン１９３、１９４からの信号をＣＰＵ１３３の指示により選択する。
【００６３】
セレクタ１４７の出力信号１９５は、パターンマッチング部１４８とセレクタ１４９に入力される。パターンマッチング部１４８は、入力信号１９５と予め決められたパターンとのパターンマッチングを行い、パターンが一致した場合、予め決められた多値の信号を信号ライン１９６に出力する。パターンが一致しなかった場合は、入力信号１９５をそのまま信号ライン１９６に出力する。
【００６４】
セレクタ１４９は、パターンマッチング部１４８からの上記２種類の信号のうちの一方をＣＰＵ１３３の指示により選択する。セレクタ１４９の出力信号は、信号ライン１９７を介して次段のＬＵＴ１５０に入力される。ＬＵＴ１５０は、プリンタ部２に画像情報を出力する際に、プリンタの特性に合わせて入力信号を変換する。セレクタ１５１は、ＬＵＴ１５０の出力信号、セレクタ１４７の出力信号のいずれかをＣＰＵ１３３の指示により選択して、次段の拡大回路１５２に入力する。
【００６５】
拡大回路１５２は、ＣＰＵ１３３からの指示により、Ｘ方向、Ｙ方向独立に拡大倍率を設定することが可能であり、拡大方法としては、１次の線形補間方法が採用されている。拡大回路１５２の出力信号は、信号ライン１７０を介してバッファ１４０に入力される。バッファ１４０に入力された信号は、ＣＰＵ１３３の指示により、双方向信号ライン１８７、コネクタ１３１を介してプリンタ部２に送られ、プリントアウトされる。
【００６６】
次に、コア部３０８の動作を説明する。
【００６７】
［ファクシミリ部３０１の情報に基づくコア部３０８の動作］
ファクシミリ部３０１に情報を出力する場合（ＦＡＸ送信を行う場合）、ＣＰＵ１３３は、通信用ＩＣ１３２を介して、リーダー部１のＣＰＵ１２２（図示省略）と通信を行い、原稿スキャン命令を出す。リーダー部１は、この命令に応答してスキャナユニット１０４により原稿をスキャンすることにより、画像情報をコネクタ１２０（図示省略）に出力する。すると、リーダー部１の上記コネクタ１２０と外部装置３はケーブルで接続されているので、リーダー部１からの画像情報は、コア部３０８のコネクタ１３１に入力される。コネクタ１３１に入力された画像情報は、多値８ｂｉｔの信号ライン１８７を通ってバッファ１４０に入力される。バッファ１４０は、入力された画像情報を、ＣＰＵ１３３の指示により、片方向の信号ライン１８８を介してＬＵＴ１４１に入力する。
【００６８】
ＬＵＴ１４１では、リーダー部１からの画像情報をルックアップテーブルを用いて所望する値に変換する。この変換により、例えば、原稿の下地を飛ばすことなどが可能である。ＬＵＴ１４１の出力信号は、次段の２値化回路１４２に入力される。２値化回路１４２は、８ｂｉｔ多値信号を２値化信号に変換する。２値化回路１４２は、２値化された信号が“０”の場合“００Ｈ”，“１”の場合“ＦＦＨ”と２つの多値の信号に変換して出力する。
【００６９】
２値化回路１４２の出力信号は、セレクタ１４３，１４４を介して回転回路１４５、またはセレクタ１４６に入力される。回転回路１４５の出力信号もセレクタ１４６に入力され、セレクタ１４６は、回転回路１４５からの回転処理された信号か、回転処理されていない信号のどちらかを選択する。信号の選択は、ＣＰＵ１３３がＣＰＵバス１８４を介してファクシミリ部３０１と通信を行うことにより決定する。セレクタ１４６からの出力信号は、信号ライン１９３、コネクタ１３５を介してファクシミリ部３０１に送られる。
【００７０】
次に、ファクシミリ部３０１からの情報を受け取る場合（ＦＡＸ受信・記録を行う場合）について説明する。ファクシミリ部３０１からの画像情報は、コネクタ１３５、信号ライン１９４を介してセレクタ１４４とセレクタ１４７に入力される。
【００７１】
ＣＰＵ１３３の指示に基づいて、プリンタ部２にファクシミリ受信時の画像を回転して出力する場合には、セレクタ１４４に入力した画像情報を回転回路１４５に出力して回転処理する。回転回路１４５からの出力信号１９２はセレクタ１４６、セレクタ１４７を介してパターンマッチング部１４８に入力される。一方、ＣＰＵ１３３の指示に基づいて、ファクシミリ受信時の画像をそのままプリンタ２に出力する場合には、セレクタ１４７に直接入力した画像情報をパターンマッチング部１４８に入力する。
【００７２】
パターンマッチング部１４８は、ファクシミリ受信した際の画像のガタガタを滑らかにする機能を有する。パターンマッチングされた信号は、セレクタ１４９を介してＬＵＴ１５０に入力される。ＬＵＴ１５０のテーブルは、ファクシミリ受信した画像をプリンタ部２に所望する濃度で出力するために、ＣＰＵ１３３により変更可能となっている。ＬＵＴ１５０の出力信号は、セレクタ１５１を介して拡大回路１５２に入力される。拡大回路１５２は、２つの値（００Ｈ，ＦＦＨ）を有する８ｂｉｔ多値信号を、１次の線形補間法により拡大処理を行う。拡太回路１５２からの多くの値を有する８ｂｉｔ多値信号は、バッファ１４０、コネクタ１３１を介してリーダー部１に送られる。
【００７３】
リーダー部１は、この信号をコネクタ１２０を介して外部Ｉ／Ｆ切替回路１１９（図示省略）に入力する。外部Ｉ／Ｆ切替回路１１９は、ファクシミリ部４からの信号をＹ信号生成・色検出回路１１３（図示省略）に入力する。Ｙ信号生成・色検出回路１１３からの出力信号は、所定の処理を施された後、プリンタ部２に出力され、出力用紙上に画像形成が行われる。
【００７４】
［ファイル部３０４の情報に基づくコア部３０８の動作］
ファイル部３０４に情報を出力する場合、ＣＰＵ１３３は、通信用ＩＣ１３２を介して、リーダー部１のＣＰＵ１２２と通信を行い、原稿スキャン命令を出す。リーダー部１は、この命令に応答してスキャナユニット１０４により原稿をスキャンすることにより、画像情報をコネクタ１２０（図示省略）に出力する。すると、リーダー部１の上記コネクタ１２０と外部装置３はケーブルで接続されているので、リーダー部１からの画像情報は、コア部３０８のコネクタ１３１に入力される。
【００７５】
コネクタ１３１に入力された画像情報は、バッファ１４０、信号ライン１８８を介して、多値８ｂｉｔの信号としてＬＵＴ１４１に入力され、所望する信号に変換される。ＬＵＴ１４１の出力信号は、セレクタ１４３、セレクタ１４４、およびセレクタ１４６を介してコネクタ１３６に入力される。すなわち、２値化回路１４２および回転回路１４５の機能を用いずに８ビット多値のままファイル部３０３に転送する。ただし、ＣＰＵバス１８４を介してＣＰＵ１３３によりファイル部３０３に対して２値化信号のファイリングを行うように指令した場合には、２値化回路１４２、回転回路１４５の機能を使用する。２値化処理および回転処理は、上記したファクシミリの場合と同様なため説明を省略する。
【００７６】
次に、ファイル部３０３からの情報を受取る場合について説明する。
【００７７】
ファイル部３０３からの画像情報は、コネクタ１３６、信号ライン１９４を介してセレクタ１４４かセレクタ１４７に入力される。すなわち、８ｂｉｔ多値信号のファイリングの場合はセレクタ１４７へ、２値信号のファイリングの場合には、セレクタ１４４、またはセレクタ１４７に入力することが可能である。
【００７８】
２値信号のファイリングの場合は、ファクシミリと同様な処理のため説明を略す。多値信号のファイリングの場合は、セレクタ１４７からの出力信号をセレクタ１４９を介してＬＵＴ１５０に入力する。ＬＵＴ１５０では、所望するプリント濃度に合わせてＣＰＵ１３３の指示によりルックアップテーブルを作成する。  
【００７９】
ＬＵＴ１５０からの出力信号は、セレクタ１５１を介して拡大回路１５２に入力される。拡大回路１５２によって所望する拡大率に拡大された８ｂｉｔ多値信号は、バッファ１４０、コネクタ１３１を介してリーダー部１に送られる。リーダー部１に送られたファイル部３０４からの情報は、上記したファクシミリと同様にプリンタ部２に出力され、出力用紙上に画像形成が行われる。
【００８０】
［コンピユータ・インターフェイス部３０５の情報に基づくコア部３０８の動作］
コンピユータ・インターフェイス部３０５は、ＬＡＮ６を介して外部装置３に接続されるコンピユータ（ワークステーション７、パソコン８、ファイルサーバ９）とのインターフェイスを行う。コンピユータ・インターフェイス部３０５は、ＳＣＳＩ，ＲＳ２３２Ｃ，セントロニクス系との通信を行う複数のインターフェイスを備えている。コンピュータ・インターフェイス部３０５は、上記の３種類のインターフェイスからのデータを、コネクタ１３７、データバス１８４を介してＣＰＵ１３３に転送する。ＣＰＵ１３３は、転送されてきたデータの内容に応じて各種の制御を行う。
【００８１】
［フォーマッタ部３０６の情報に基づくコア部３０８の動作］
フォーマッタ部３０６は、上述したコンピユータインターフェイス部３０５から送られてきた文書ファイルのコードデータ等をイメージデータに展開する機能を有している。
【００８２】
すなわち、ＣＰＵ１３３は、コンピユータ・インターフェイス部３０５からデータバス１８４を介して送られてきたデータがフォーマッタ部３０６に関するデータであると判断すると、そのデータをコネクタ１３８を介してフォーマッタ部３０６に転送する。フォーマッタ部３０６は、転送されてきた文字・図形コードデータ等を文字・図形等のパターンデータ（イメージデータ）に変換してメモリに展開する。
【００８３】
次に、フォーマッタ部３０６からの情報を受取って出力用紙上に画像形成を行う場合について説明する。
【００８４】
フォーマッタ部３０６からの画像情報は、コネクタ１３８を介して、信号ライン１９４に２つの値（００Ｈ，ＦＦＨ）を有する多値信号として出力され、セレクタ１４４、セレクタ１４７に入力される。そして、セレクタ１４４および１４７はＣＰＵ１３３により制御されて選択処理を行う。以後の動作は、上記したファクシミリ部の場合と同様なため説明を省略する。
【００８５】
［イメージメモリ部３０７の情報に基づくコア部３０８の動作］
次に、イメージメモリ部３０７に情報を出力する場合について説明する。ＣＰＵ１３３は、通信用ＩＣ１３２を介して、リーダー部１のＣＰＵ１２２と通信を行い、原稿スキャン命令を出す。リーダー部１は、この命令に応答してスキャナユニット１０４により原稿をスキャンすることにより、画像情報をコネクタ１２０（図示省略）に出力する。すると、リーダー部１の上記コネクタ１２０と外部装置３はケーブルで接続されているので、リーダー部１からの画像情報は、コア部３０８のコネクタ１３１に入力される。
【００８６】
コネクタ１３１に入力された画像情報は、バッファ１４０、信号ライン１８８を介して、多値８ｂｉｔの信号としてＬＵＴ１４１に入力され、所望する信号に変換される。ＬＵＴ１４１の出力信号、すなわち下地の飛ばし等の処理が施された原稿読取画像情報は、セレクタ１４３、セレクタ１４４、セレクタ１４６、およびコネクタ１３９を介してイメージメモリ部３０７に転送されて記憶される。
【００８７】
そして、イメージメモリ部３０７に記憶された画像情報は、コネクタ１３９、ＣＰＵバス１８４を介してＣＰＵ１３３に送られる。ＣＰＵ１３３は、イメージメモリ部３０７から送られてきた画像情報を、上述したコンピユータインターフェイス部３０５に転送する。
【００８８】
コンピユータインターフェイス部３０５は、上記した３種類のインターフェイス（ＳＣＳＩ、ＲＳ２３２Ｃ、セントロニクス）のうちの所望するインターフェイスで、転送に係る画像情報をコンピユータに送信する。
【００８９】
次に、イメージメモリ部３０７からの情報を受取る場合について説明する。
【００９０】
まず、コンピュータインターフェイス部３０５を介してコンピュータから画像情報がコア部３０８に送られる。コア部３０８のＣＰＵ１３３は、コンピユータ・インターフェイス部３０５からＣＰＵバス１８４を介して送られてきたデータが、イメージメモリ部３０７に関するデータであると判断すると、コネクタ１３９を介しイメージメモリ部３０７に転送する。次にイメージメモリ部３０７は、コネクク１３９を介して８ｂｉｔ多値信号１９４をセレクタ１４４、セレクタ１４７に伝送する。セレクタ１４４または、セレクタ１４７からの出力信号は、ＣＰＵ１３３の指示により、前記したファクシミリと同様に、プリンタ部２に出力され出力用紙上に画像形成が行われる。
【００９１】
本実施の形態に特有な処理は、図７に示したネットワークの環境の下に実現される。
【００９２】
ユーザはワークステーション７、またはパソコン８を使用して文書の作成を行う。文書作成が終了し、その内容を用紙に出力する場合には、ユーザはプリント手続き（画像形成装置の指定、枚数／部数の指定、後処理方法の指定、即時プリントの指定）を入力した後、プリントコマンドを発行する。画像形成装置は、ＬＡＮ６を経由してプリント指示があった場合、一旦、データを内部のローカルディスク内に格納する。その後、プリントコマンド内の各種プリント手続き情報を参照してプリント機能を働かせる。また、画像形成装置がコピージョブ処理中の場合には、ユーザの指示により割込処理も可能である。
【００９３】
図９は、ワークステーション７、またはパソコン８から画像形成装置に対してプリントを指示するためのコマンドフォーマットである。コマンドの機能を示すコマンドＩＤ、このコマンドを発行したユーザを示すユーザ識別子、プリントすべき文書データ（文書ファイルそのもの（実態）、または文書ファイルを示すファイル識別子）、プリントすベき画像形成装置の指定、枚数／部数指定、後処理方法指定等の情報を格納する処理方法、即時プリント指定の可／不可を示すフラグにより構成されている。
【００９４】
図１０は、パソコン８、またはワークステーション７が内部のハードディスクに文書ファイルを格納する場合のワークステーション７、またはパソコン８の動作を示すフローチャートである。
【００９５】
電源を投入した直後は、ユーザからのコマンド入力待ち状態となっている（ステップＳ１）。このコマンド入力待ち状態で、新規ファイル作成、または編集が指定された場合は、それぞれ新規作成、または編集処理に係るファイルのファイル名の入力処理を行った後（ステップＳ２、またはステップＳ３）、入力操作に従った編集処理を行う（ステップＳ４）。そして、編集処理の終了指示に従って編集処理に係る文書データを内部のハードディスクに格納して（ステップＳ５）、ステップＳ１に戻る。
【００９６】
一方、コマンド入力待ち状態で、プリントアウトが指定された場合は、そのプリントすべきファイルのファイル名の入力処理を行う（ステップＳ６）。そして、複写機の指定、枚数／部数指定、後処理方法指定などのプリント手続き情報の入力処理を行い（ステップＳ７）、即時プリントか否かの情報の入力処理を行う（ステップＳ８）。次に、指定された複写機等の画像形成装置に対して、ＬＡＮ６を経由して文書ファイル（実態）を含むプリントコマンドを発行して（ステップＳ９）、ステップＳ１に戻る。
【００９７】
図１１は、ＬＡＮ６経由して外部のファイルサーバ９に文書ファイルを格納する場合のファイルサーバパソコン８、またはワークステーション７の動作を示すフローチャートである。
【００９８】
電源を投入した直後は、ユーザからのコマンド入力待ち状態となっている（ステップＳ２１）。このコマンド入力待ち状態で、新規ファイル作成、または編集が指定された場合は、それぞれ新規作成、または編集処理に係るファイルのファイル名の入力処理を行った後（ステップＳ２２、またはステップＳ２３）、入力操作に従った編集処理を行う（ステップＳ２４）。そして、編集処理の終了指示に従って編集処理に係る文書データを外部のファイルサーバ９に格納して（ステップＳ２５）、ステップＳ２１に戻る。
【００９９】
一方、コマンド入力待ち状態で、プリントアウトが指定された場合は、そのプリントすべきファイルのファイル名の入力処理を行う（ステップＳ２６）。そして、複写機の指定、枚数／部数指定、後処理方法指定などのプリント手続き情報の入力処理を行い（ステップＳ２７）、即時プリントか否かの情報の入力処理を行う（ステップＳ２８）。次に、指定された複写機等の画像形成装置に対して、ＬＡＮ６を経由して文書ファイルの識別子を含むプリントコマンドを発行して（ステップＳ２９）、ステップＳ２１に戻る。
【０１００】
図１２と図１３は、画像形成装置の動作を示したものである。各フローチャートはマルチタスクモニタの管理下で平行して動作を行っている。
【０１０１】
図１２は画像形成装置の受信処理部のフローチャートである。アイドル状態では、ＬＡＮ６からのコマンド受信状態となっており（ステップＳ３１）、このコマンド受信状態でプリントコマンド以外のコマンドを受信した場合は、そのコマンドに応じた処理を実行して（ステップＳ３３）、ステップＳ３１に戻る。
【０１０２】
一方、図９に示したプリントコマンドを受信した場合は、その受信内容を画像形成装置内のローカルディスクに格納して（ステップＳ３４）、ステップＳ３１に戻る。
【０１０３】
なお、以上の受信動作において、ＬＡＮ６からのデータは、図８に示したコンピュータインターフェース部３０５から入力される。また、上記ローカルディスクはファイル部３０４に相当し、受信処理部としての全体の制御はＣＰＵ１３３が行っている。
【０１０４】
図１３は、画像形成装置のプリント処理部のフローチャートである。アイドル状態では画像形成装置内のローカルディスク内にプリントすべきデータが存在するか否かを常にチェックしている（ステップＳ４１）。プリントすべきデータが存在する場合、まず、図９に示したプリントコマンド中の即時プリントのフラグをチェックする（ステップＳ４２）。
【０１０５】
そのフラグにより即時プリント不可に指定されている場合には、プリント枚数が予め定められた所定枚数以下であるか否かを判断する（ステップＳ４３）。その結果、所定枚数以下でなければ、即時プリント不可として処理すべく、ステップＳ４８に進み、所定枚数以下であれば、即時プリントを実行すべくステップＳ４５に進む。
【０１０６】
一方、上記フラグにより即時プリントが指定されている場合には、さらに排紙処理の方法も同時に指定されているか否かを判断する（ステップＳ４４）。その結果、排紙処理が指定されてなければ、即時プリントを実行すべくステップＳ４５に進み、排紙処理が指定されていれば、上記フラグによる即時プリントの指定の如何にかかわらず無条件に即時プリント不可として処理すべく、ステップＳ４８に進む。
【０１０７】
以上のようなシーケンスで即時プリントの可／不可を規定した後、即時プリント可の場合には、現在コピー中であるか否かを判断する（ステップＳ４５）。その結果、コピー中であれば、そのコピーが終了するのを待って指定に係る処理方法でプリントを行い（ステップＳ４６，Ｓ４７）、コピー中でなければ、直ぐに指定に係る処理方法でプリントを実行して（ステップＳ４７）、ステップＳ４１に戻る。
【０１０８】
即時プリント不可の場合には、まず、ステップＳ４８にて、現在コピー中であるか否かを判断する。その結果、コピー中であれば、操作・表示パネル６００の操作によりユーザから割込み指示がなされるのを待ち（ステップＳ４９）、割込み指示に応答して割込み処理モードに入り（ステップＳ５０）、ステップＳ５１に進む。一方、コピー中でなければ、直ちにステップＳ５１に進む。
【０１０９】
ステップＳ５１では、画像形成装置のカードリーダ６１６にＩＤカードが挿着されるのを待つ。そして、ＩＤカードが挿着されると、そのＩＤカードに記録されているユーザＩＤと画像形成装置のローカルディスクに格納されている文書ファイルのユーザ識別子が合致するか否かを判別する（ステップＳ５２）。その結果、合致しなければ、操作パネルに警告を表示して（ステップＳ５３）、ステップＳ５１に戻り、再度、ＩＤカードが挿着されるのを待つ。
【０１１０】
ユーザＩＤとユーザ識別子が合致する場合は、該当する文書ファイルの実体が画像形成装置内に存在するか否かをチェックする（ステップＳ５４）。その結果、該当する文書ファイルの実体が本装置内に存在しなければ、上記ユーザ識別子に該当する文書ファイルをＬＡＮ６を経由してファイルサーバ９から取込んで（ステップＳ５５）、ステップＳ５６に進み、該当する文書ファイルの実体が本装置内に存在すれば、直ちにステップＳ５６に進む。
【０１１１】
ステップＳ５６では、ユーザＩＤとユーザ識別子が合致した文書ファイルを指定された排紙処理方法でプリントする。この際、排紙処理装置のビンに放置紙が存在する場合は、プリント動作前に放置紙を除く旨のメッセージが表示される。この様な不具合が無い場合は、直ちにプリント動作が始まり、適切な排紙後処理がなされる。そして、そのプリントが終了した後は、割込中であるか否かを判断する（ステップＳ５７）。その結果、割込中であれば、中断されたコピージョブを再開して、そのコピーを完了させてステップＳ４１に戻り、割込中でなければ、直ちにステップＳ４１に戻る。
【０１１２】
以上の動作において、プリント実行、カードリーダ制御、および操作パネル制御は、図８に示したコネクタ１３１を介して行われ、プリント処理部としての全体の制御はＣＰＵ１３３により行われる。また、ローカルディスクはファイル部３０４に相当する。
以上説明したように、画像形成装置は、挿着されたＩＤカードに記録されているユーザＩＤと、画像形成装置内のローカルディスクに格納されている文書ファイルのユーザ識別子が合致するか否かを判別する。そして、合致する場合は、画像形成装置は、当該ユーザ識別子に対応する文書ファイルが当該画像形成装置内に存在するか否かを判別する。対応する文書ファイルが画像形成装置内に存在しない場合は、画像形成装置は、その文書ファイルをＬＡＮ６を介してファイルサーバ９から取り込んでプリントアウトする。  このように、ユーザの指示に基づいて印刷出力を行えるようにしたので、換言すれば、所望のタイミングで印刷出力できるようにしたので、従来のように、排紙トレイに積み重ねられた印刷に係るシート束の中から所望のシートを探し出す必要はなくなり、使い勝手が向上する。また、印刷枚数が所定枚数以下の場合は、たとえ即時に印刷を行うべき旨が送信側からのコマンドにより指示されていなくても、ユーザの指示によらずに自動的に印刷を行えるようにしたので、印刷に係る少数のシートを得るためにユーザがわざわざ装置を操作しなくても済み、使い勝手が向上する。
【０１１３】
なお、本発明は、パソコン、ワークステーション等のデータ処理装置からネットワークを介して画像形成装置に供給される処理データの形態が、本実施の形態のように文字コードにより構成された文書データ等ではなく、画像（イメージ）データそのものである場合にも適用することができる。
【図面の簡単な説明】
【０１１４】
【図１】本発明の実施の形態に係る画像形成装置の概略構成を示すブロック図である。
【図２】上記画像形成装置の概略構成を示す縦断側面図である。
【図３】上記像形成装置における循環式自動原稿送り装置の概略構成を示す縦断側面図である。
【図４】上記画像形成装置におけるシート後処理装置の概略構成を示す縦断側面図である。
【図５】上記画像形成装置におけるシート後処理装置の概略構成を示す斜視図である。
【図６】上記画像形成装置における操作・表示パネルの概略構成を示す平面図である。
【図７】上記画像形成装置が接続されたネットワークの構成例を示す図である。
【図８】図１におけるコア部の詳細な構成を示すブロック図である。
【図９】上記画像形成装置に供給されるコマンドフォーマットを示す図である。
【図１０】上記画像形成装置に印刷対象の処理データを供給するデータ処理装置が第１の形態で処理データを供給する場合の動作を示すフローチャートである。
【図１１】上記画像形成装置に印刷対象の処理データを供給するデータ処理装置が第２の形態で処理データを供給する場合の動作を示すフローチャートである。
【図１２】上記画像形成装置の受信動作を示すフローチャートである。
【図１３】上記画像形成装置の印刷動作を示すフローチャートである。
【符号の説明】
【０１１５】
２…プリンタ部、６…ＬＡＮ、７…ワークステーション、８…パソコン、９…ファイルサーバ、１０…コア部、１３３…ＣＰＵ、３０４…ファイル部（ローカルディスク）、６００…操作・表示パネル
【図１】
2006021542.tif 000003
【図２】
2006021542.tif 000004
【図３】
2006021542.tif 000005
【図４】
2006021542.tif 000006
【図５】
2006021542.tif 000007
【図６】
2006021542.tif 000008
【図７】
2006021542.tif 000009
【図８】
2006021542.tif 000010
【図９】
2006021542.tif 000011
【図１０】
2006021542.tif 000012
【図１１】
2006021542.tif 000013
【図１２】
2006021542.tif 000014
【図１３】
2006021542.tif 000015